(57)【要約】【課題】ダイオキシンが発生するおそれが極力ない焼却炉を提供しようとするもの。【解決手段】廃棄物を燃焼室１内に投入する際の開閉扉２と、その上側遮蔽板３と下側遮蔽板４と、前記開閉扉２と逆側の廃棄物の予備投入庫付き扉５とを具備し、廃棄物の再投入時には前記予備投入庫付き扉５に廃棄物を収容しておき、前記上側遮蔽板３と下側遮蔽板４とを、前記開閉扉２と予備投入庫付き扉５との上下に添設して上下方向からの外気の流入を阻止すると共に、前記開閉扉２と予備投入庫付き扉５とはその開放端側を相互に沿わせつつ開閉して前方方向からの外気の流入を阻止するようにし、予備投入庫付き扉５を閉じた状態でここに収容される廃棄物を投入するようにした。【選択図】        図１
2004301465.tif 000002
【特許請求の範囲】
【請求項１】
廃棄物を燃焼室内に投入する際の開閉扉と、その上側遮蔽板と下側遮蔽板と、前記開閉扉と逆側の廃棄物の予備投入庫付き扉とを具備し、廃棄物の再投入時には前記予備投入庫付き扉に廃棄物を収容しておき、前記上側遮蔽板と下側遮蔽板とを、前記開閉扉と予備投入庫付き扉との上下に添設して上下方向からの外気の流入を阻止すると共に、前記開閉扉と予備投入庫付き扉とはその開放端側を相互に沿わせつつ開閉して前方方向からの外気の流入を阻止するようにし、予備投入庫付き扉を閉じた状態でここに収容される廃棄物を投入するようにしたことを特徴とする焼却炉。
【請求項２】
前記廃棄物の予備投入庫付き扉は燃焼室との間の開閉板とその操作レバーと、収容した廃棄物を燃焼室内に投入する押出し板とその操作レバーとを具備する請求項１記載の焼却炉。
【発明の詳細な説明】
【０００１】
【発明の属する技術分野】
この発明は、家庭用ゴミその他一般廃棄物を処理するための焼却炉に関するものである。
【０００２】
【従来の技術】
従来より、家庭用ゴミその他一般廃棄物を処理するために焼却炉が用いられている。図４に示すように、この焼却炉２１は開閉扉２２を開けてゴミ等（図示せず）を燃焼室２３内に投入し、投入完了後に扉２２を閉じた状態で焼却処理する構造となっている（ごく一般的な構造であり特に関連する特許文献はない）。
【０００３】
ところで、平成１４年１２月１日施行の「廃棄物処理及び清掃に関する法律」の施行規則の一部を改正する省令では、廃棄物を焼却する焼却設備の構造につき次のように規定されている。
「１．空気取入口及び煙突の先端以外に焼却設備内と外気とが接することなく、燃焼室において発生するガス（以下「燃焼ガス」という。）の温度が摂氏８００度以上の状態で、廃棄物を焼却できるものであること。
【０００４】
２．燃焼に必要な量の空気の通風が行われるものであること。
【０００５】
３．外気と遮断された状態で、定量ずつ廃棄物を燃焼室に投入することができるものであること。（ガス化燃焼方式その他の構造上やむを得ないと認められる焼却設備の場合を除く。）
４．燃焼室中の燃焼ガスの温度を測定するための装置が設けられていること。
【０００６】
５．燃焼ガスの温度を保つために必要な助燃装置が設けられていること。」
【０００７】
しかし前記規定の趣旨に反し、上記のような従来の構造の焼却炉２１は、１サイクルの焼却処理が終了して次サイクルのゴミ等の再投入時に扉２２を開閉した際ゴミ等と一緒に外気が燃焼室２３内に流入し、燃焼室２３内の温度が一時的に低下してダイオキシンが発生するおそれがあるという問題があった。
【０００８】
【発明が解決しようとする課題】
そこでこの発明は、ダイオキシンが発生するおそれが極力ない焼却炉を提供しようとするものである。
【０００９】
【課題を解決するための手段】
前記課題を解決するためこの発明では次のような技術的手段を講じている。
▲１▼  この発明の焼却炉は、廃棄物を燃焼室内に投入する際の開閉扉と、その上側遮蔽板と下側遮蔽板と、前記開閉扉と逆側の廃棄物の予備投入庫付き扉とを具備し、廃棄物の再投入時には前記予備投入庫付き扉に廃棄物を収容しておき、前記上側遮蔽板と下側遮蔽板とを、前記開閉扉と予備投入庫付き扉との上下に添設して上下方向からの外気の流入を阻止すると共に、前記開閉扉と予備投入庫付き扉とはその開放端側を相互に沿わせつつ開閉して前方方向からの外気の流入を阻止するようにし、予備投入庫付き扉を閉じた状態でここに収容される廃棄物を投入するようにしたことを特徴とする。
【００１０】
この焼却炉では、上側遮蔽板と下側遮蔽板とを、前記開閉扉と予備投入庫付き扉との上下に添設して上下方向からの外気の流入を阻止すると共に、前記開閉扉と予備投入庫付き扉とはその開放端側を相互に沿わせつつ開閉して前方方向からの外気の流入を阻止するようにし、予備投入庫付き扉を閉じた状態でここに収容される廃棄物を投入するようにしたので、ゴミ等の廃棄物の再投入時に燃焼室内の温度が低下しにくい。
【００１１】
▲２▼  前記廃棄物の予備投入庫付き扉は燃焼室との間の開閉板とその操作レバーと、収容した廃棄物を燃焼室内に投入する押出し板とその操作レバーとを具備することとしてもよい。
【００１２】
このように構成すると、予備投入庫付き扉を閉じた状態で燃焼室との間の開閉板をその操作レバーにより開けて、ここに収容される廃棄物を押出し板の操作レバーによって燃焼室内に外気を流入させることなしに投入することができる。
【００１３】
【発明の実施の形態】
以下、この発明の実施の形態を図面を参照して説明する。
【００１４】
図１乃至図３に示すように、この実施形態の焼却炉は長方形状の投入口が形成され、ゴミ等の廃棄物（図示せず）を燃焼室１内に投入する際の開閉扉２と、その上側遮蔽板３  （図２では図示省略）と下側遮蔽板４と、前記開閉扉２と逆側の廃棄物の予備投入庫付き扉５とを具備する。前記開閉扉２と廃棄物の予備投入庫付き扉５とは水平方向に回動可能とし、前記上側遮蔽板３と下側遮蔽板４とは垂直方向に回動可能としている。
【００１５】
前記廃棄物の予備投入庫付き扉５は下方に略４分の１の円弧面を形成していると共に、燃焼室１との間の開閉板６  （図１参照）とその操作レバー７と、収容した廃棄物を燃焼室１内に投入する押出し板８  （図３参照）とその操作レバー９とを具備する。また前記予備投入庫１０は、その上面のヒンジ付き扉１１を開閉して廃棄物を収容するようにしている。
【００１６】
１サイクルの焼却処理が終了して次サイクルのゴミ等の廃棄物の再投入時には、前記予備投入庫付き扉５の上面のヒンジ付き扉１１を開閉して廃棄物を収容しておき、前記上側遮蔽板３と下側遮蔽板４とを回動させて、前記開閉扉２と予備投入庫付き扉５との上下に添設して上下方向からの外気の流入を阻止する。そして、前記開閉扉２と予備投入庫付き扉５とはその開放端側を相互に沿わせつつ開閉して前方方向からの外気の流入を阻止するようにし（図２参照）、予備投入庫付き扉５を閉じた状態でここに収容される廃棄物を投入するようにしている。具体的には、予備投入庫付き扉５を閉じた状態で燃焼室１との間の開閉板６をその操作レバー７により開けて、ここに収容される廃棄物を押出し板８の操作レバー９によって燃焼室１内に投入するようにしている。
【００１７】
その後、燃焼室１内の温度が８００℃以上となるようにして公知の方法で次サイクルのゴミ等の廃棄物の焼却処理を行う。
【００１８】
次に、この実施形態の焼却炉の使用状態を説明する。
【００１９】
この焼却炉では、上側遮蔽板３と下側遮蔽板４とを、前記開閉扉２と予備投入庫付き扉５との上下に添設して上下方向からの外気の流入を阻止すると共に、前記開閉扉２と予備投入庫付き扉５とはその開放端側を相互に沿わせつつ開閉して前方方向からの外気の流入を阻止するようにし（図２参照）、予備投入庫付き扉５を閉じた状態でここに収容される廃棄物を投入するようにしたので、ゴミ等の廃棄物の再投入時に燃焼室１内の温度が低下しにくく、ダイオキシンが発生するおそれが極力ないという利点がある。
【００２０】
すなわち、１サイクルの焼却処理が終了して次サイクルのゴミ等の廃棄物の再投入時に外気は燃焼室１内には流入せず、燃焼室１内の温度の低下は殆どなくダイオキシン類が発生するおそれはない。
【００２１】
また、前記廃棄物の予備投入庫付き扉５は燃焼室１との間の開閉板６とその操作レバー７と、収容した廃棄物を燃焼室１内に投入する押出し板８とその操作レバー９とを具備するので、予備投入庫付き扉５を閉じた状態で燃焼室１との間の開閉板６をその操作レバー７により開けて、ここに収容される廃棄物を押出し板８の操作レバー９によって燃焼室１内に外気を流入させることなしに投入することができるという利点がある。
【００２２】
【発明の効果】
この発明は上述のような構成であり、次の効果を有する。
【００２３】
ゴミ等の廃棄物の再投入時に燃焼室内の温度が低下しにくいので、ダイオキシンが発生するおそれが極力ない焼却炉を提供することができる。
【図面の簡単な説明】
【図１】この発明の焼却炉の実施形態を説明する斜視図。
【図２】図１の焼却炉の使用状態を説明する平面図。
【図３】図１の焼却炉の予備投入庫付き扉を閉じた状態を説明する図。
【図４】従来の焼却炉を説明する斜視図
【符号の説明】
１  燃焼室
２  開閉扉
３  上側遮蔽板
４  下側遮蔽板
５  廃棄物の予備投入庫付き扉
６  開閉板
７  操作レバー
８  押出し板
９  操作レバー
１０  予備投入庫
【図１】
2004301465.tif 000003
【図２】
2004301465.tif 000004
【図３】
2004301465.tif 000005
【図４】
2004301465.tif 000006